(57)【要約】 【課題】矢板鋼板０１を使用した用水路０３の補修に際して、基礎の新規な構築手段を提供する。【解決手段】矢板鋼板０１で擁壁を形成した既存用水路の補修に際しての基礎工であって、既存用水路の底方において矢板鋼板に基礎用透孔Ａを設け、前記透孔箇所において、水路底面以下に埋設されていた矢板鋼板（埋設矢板鋼板）０１に基礎構築部材（基礎パネル）６を連結して、基礎構築部材６と埋設矢板鋼板０１を一体化し、堅牢性を備えている埋設矢板鋼板０１に構築される新規用水路（擁壁等）の荷重を負担させる。【選択図】図４
2018141300.tif 000002
【特許請求の範囲】
【請求項１】
矢板鋼板で擁壁を形成した既存用水路の補修に際しての基礎工であって、既存用水路の底方において矢板鋼板に基礎用透孔を設け、前記透孔背面箇所を掘削して背面穴を形成すると共に、露出させた水路底面以下に埋設されている矢板鋼板に、基礎構築部材を連結してなることを特徴とする既存用水路の補修工法。
【請求項２】
連結手段が、背面穴に基礎構築部材の一部を突出させ、当該背面穴にコンクリートを打設したものである請求項１記載の既存用水路の補修工法。
【請求項３】
基礎構築部材に構築擁壁の最下方部を構成するパネル板を備えてなる請求項２記載の既存用水路の補修工法。
【請求項４】
基礎構築部材が下方開口コの字状の支持ブロック体で、基礎用透孔を跨がせて設置してなる請求項２記載の既存用水路の補修工法。
【請求項５】
連結手段が、基礎構築部材に適宜な連結部を設け、透孔縁部に当該連結部を連結してなる請求項１乃至３記載の何れかの既存用水路の補修工法。
【請求項６】
基礎構築部材が対向矢板鋼板に架設する梁材であって、前記梁材上に新規水路を構築してなる請求項２又は５記載の既存用水路の補修工法。
【請求項７】
梁材の架設位置を既存水路底面下とし、架設した梁材の上面にコンクリート製品である新規用水路部材の仮支持を行う調整ボルトを植立し、所定の高さの箱形型枠を梁材上に配置し、型枠内にコンクリートを打設すると共に、新規用水路部材を調整ボルト上に載置して打設コンクリートと一体化してなる請求項６記載の既存用水路の補修工法。
【発明の詳細な説明】
【技術分野】
【０００１】
本発明は矢板鋼板で擁壁を形成した既存用水路の補修工法における基礎の構築方法に関するものである。
【背景技術】
【０００２】
矢板鋼板を両岸に打ち込んで擁壁とし、矢板鋼板の上端に笠木コンクリートを打設して形成した構造の灌漑のための用水路や排水路が知られている。これらの用水路は特に経年変化によって矢板鋼板部分が腐食して補修が必要となる。また一部の腐食部分の補修を行っても、いずれは他の部分も補修が必要となってくるので、腐食箇所ばかりではなく矢板鋼板の表面側に新たな擁壁を構築する手段が提案されている。
【０００３】
特許文献１（特開２０１４−８８７５３号公報）は、本出願人が先に提案したもので、矢板鋼板の適宜位置に装着した補強材にパネル取付部を設け、用水路底面から笠木部の下方に達する高さで、適宜幅のＦＲＰ樹脂板或いは薄鋼板等薄金属板で形成した擁壁板を、隣接する擁壁板と連続して既存矢板鋼板の表面を覆うようにパネル取付部に装着し、既存矢板鋼板と新たに設けた擁壁板の間に、セメント系充填材を充填打設して新規な表面擁壁を形成するものである。
【０００４】
また特許文献２（登録実用新案３２０１５７７号公報）に示されているコンクリート擁壁に装着した接続バーの先端にパネルを連結し、パネルと擁壁板の間にコンクリートを充填打設して新規な表面擁壁を構築する手段を、矢板鋼板の用水路の改修にも採用している（ストパネ工法・登録商標）。
【先行技術文献】
【特許文献】
【０００５】
【特許文献１】特開２０１４−８８７５３号公報。
【特許文献２】登録実用新案３２０１５７７号公報。
【発明の概要】
【発明が解決しようとする課題】
【０００６】
矢板鋼板で構築された用水路の補修を、前記特許文献１，２で示されているように矢板鋼板の外側に新たな擁壁を構築する手段で行うことが提案され、また実施されているが、前記の手段による新規に構築される表面擁壁は、矢板鋼板とは充填コンクリートで一体化しているとは言えるが、この表面擁壁は矢板鋼板と擁壁板とのサンドイッチ構造で、且つ両者は、矢板鋼板に装着した連結部材で連結されているに過ぎない。
【０００７】
連結部材の取付個所を腐食の程度が少ない箇所に設定したとしても、矢板鋼板は経年変化で当然その強度も低下している。このため、新規構築の表面擁壁の荷重を矢板鋼板自体が負担し、また土圧に対する耐久力も腐食している矢板鋼板自体で負担する結果となり、矢板鋼板の弱体化で表面擁壁が剥離して崩落する恐れも生じてしまう。
【０００８】
そこで本発明は、矢板鋼板を使用した用水路の補修に際して、土中埋設部分の矢板鋼板は腐食の進行が少なく堅牢性を備えていることに着目し、当該箇所に補修用水路の基礎工構築を行う新規な基礎工を備えた既存用水路の補修工法を提案したものである。
【課題を解決するための手段】
【０００９】
本発明の請求項１記載に係る既存用水路の補修工法は、矢板鋼板で擁壁を形成した既存用水路の補修に際しての基礎工であって、既存用水路の底方において矢板鋼板に基礎用透孔を設け、前記透孔箇所において、水路底面以下に埋設されている矢板鋼板（埋設矢板鋼板）に基礎構築部材を連結してなることを特徴とするものである。
【００１０】
従って基礎構築部材が堅牢な埋設矢板鋼板部分と連結されるので、この基礎構築部材上に矢板鋼板を被覆する新規擁壁や新規用水路を構築した場合に、構築される新規擁壁等の荷重を埋設矢板鋼板が負担することになる。
【００１１】
また本発明の請求項２記載に係る既存用水路の補修工法は、前記の連結手段が、透孔箇所の背面に掘削した背面穴に基礎構築部材の一部を突出させ、当該背面穴にコンクリートを打設したもので、コンクリートによって基礎構築部材が埋設矢板鋼板と一体化するものである。
【００１２】
また本発明の請求項５記載に係る既存用水路の補修工法は、前記の連結手段が、基礎構築部材に適宜な連結部を設け、透孔縁部に当該連結部を連結したもので、基礎構築部材に加わる荷重負担を埋設矢板鋼板に負担させる連結がなされるものである。
【００１３】
また本発明の請求項３記載の発明は、連結手段として基礎構築部材の一部を背面穴に突出させてコンクリートを打設する構成を採用した場合に、特に基礎構築部材に構築擁壁の最下方部を構成するパネル板を備えてなる擁壁パネルとしたもので、基礎工と共に新規擁壁の最下方も同時に構築されるものである。
【００１４】
また本発明の請求項４記載の発明は、連結手段としてコンクリート打設を採用した場合に、基礎構築部材を下方開口コの字状の支持ブロック体として、基礎用透孔を跨がせて設置してなるもので、支持ブロック体と埋設矢板鋼板がコンクリートで一体化され、新規擁壁の基礎工を構成することになる。
【００１５】
また本発明の請求項６記載に係る既存用水路の補修工法は、基礎構築部材が対向矢板鋼板に架設する梁材としたもので、構築される基礎梁材上に新規用水路となるコンクリート製品を載置することで新規用水路の荷重を埋設矢板鋼板に負担させると共に、基礎梁材が新規用水路の構築基準（水路傾斜他）とすることができる。
【発明の効果】
【００１６】
本発明工法は上記のとおりで、矢板鋼板を使用した既存用水路の補修に際して、新規擁壁や新規用水路の荷重を腐食の進行が少なく堅牢性を備えている矢板鋼板の土中埋設部分に荷重負担させる基礎工を構築して所定の補修を行うもので、補修後用水路の堅牢性を実現するものである。
【図面の簡単な説明】
【００１７】
【図１】本発明工法の対象となる用水路の説明図（施工前）。
【図２】本発明工法の第一実施形態（擁壁パネル使用の基礎工構築）の作業工程説明図（底方掘削）。
【図３】同図（背面支柱杭打設及びケーシング設置）。
【図４】同図（擁壁パネル設置前）。
【図５】同図（基礎工施工後）。
【図６】同図（完成時断面図）。
【図７】同第一実施形態の別例（前面支柱杭採用）の作業工程説明図（擁壁パネル設置前）。
【図８】同図（コンクリート打設前）。
【図９】同図（基礎工施工後）。
【図１０】同第二実施形態（支持ブロック体使用の基礎工構築）の作業工程図（支持ブロック体設置前）。
【図１１】同図（完成時断面図）。
【図１２】同第二実施形態の別例（前面支柱杭採用）の作業工程説明図（支持ブロック体設置前）。
【図１３】同図（完成時断面図）。
【図１４】本発明工法の第三実施形態（梁材基礎工構築）の作業工程説明図（底方掘削）。
【図１５】同図（梁材設置）。
【図１６】同図（型枠設置前）。
【図１７】同図（型枠設置後の用水路載置）。
【図１８】同第三実施形態の別例の説明図。
【図１９】本発明工法の第四実施形態（支持梁構築）の作業工程説明図（梁材設置）。
【図２０】同図（支持梁完成時）。
【図２１】同図（平面図）。
【発明を実施するための形態】
【００１８】
本発明工法が適用される補修対象の用水路は、矢板鋼板０１を地盤（用水路底面）０２に打ち込んで両岸からの背圧（土圧）を受け止めて水路０３を確保し、前記矢板鋼板０１の上縁に笠木部０４を設けて用水路を構築している。また笠木部０４は、土圧耐久力を高めるために前面に腹起し部材０５を配置し、対向笠木間に切梁部材０６を架設した水路もある。
【００１９】
第一実施形態（第一実施例）として示した本発明工法は、図１乃至６に示したとおり、前記の既存用水路の矢板鋼板０１の表面に新規に表面擁壁Ｘを構築するものであり、その施工は、基本的に基礎工構築及びパネルによる擁壁構築がなされ、基礎工構築は矢板鋼板０１の水路底方裏面に上下ケーシング１ａ，１ｂの拡張設置を行うケーシング設置工、背面支柱杭２の打ち込み設置を行う背後杭設置工、矢板鋼板０１の前面の水路底面の整備工、矢板鋼板０１の最下方パネル（表面擁壁の最下方部分を構成する）６を配置するパネル設置工、コンクリートを充填する充填打設工の順で行う。この基礎工構築後に擁壁構築を行うものである。
【００２０】
また前記の各工は構築しようとする表面擁壁Ｘの長さに対応して適宜に工区を分け、或いは部分的に先行すべき各工を適宜実施していくものである。
【００２１】
ケーシング設置工は、例えば下方開口コの字状板の上方ケーシング１ａと上方開口コの字状板の下方ケーシング１ｂとを組み合わせて形成した分割ケーシングを使用するもので、既存用水路の底方において上下ケーシング１ａ，１ｂを噛み合わせた大きさに対応した基礎用透孔Ａを矢板鋼板０１に設け、前記透孔Ａの箇所から矢板鋼板０１の裏面を用水路底面（地盤）０２以下まで拡張掘削して、少なくとも埋設矢板鋼板（地盤以下の矢板鋼板）０１ａが露出する背面穴Ｂを形成し、背面穴Ｂ内に上下ケーシング１ａ，１ｂを設置するものである。
【００２２】
ケーシング設置工は、上下ケーシング１ａ，１ｂを噛み合わせた状態で基礎用透孔Ａから背面穴Ｂに差し入れ、背面穴Ｂ内において下方ケーシング１ｂを下方に移動させて設置する。この上下ケーシング１ａ，１ｂの設置は地盤が崩落し易い場合に適用するものであり、必ずしもにケーシング設置を行わなくとも良い。
【００２３】
背後杭設置工は、背面支柱杭２を既存擁壁背後に前記上下ケーシング１ａ，１ｂの設置位置の奥方に当接するように打ち込むものである。
【００２４】
前記背面支柱杭２には例えばＣ鋼（どのような規格材を採用するか等は用水路環境によって定める）を使用し、後述するパネル連結部材３と対応する適宜な連結部（図示せず）を備える。連結部は例えばＣ鋼の前面の所定位置（背面支柱杭２の打ち込み後に実施する後述の開削孔の対応位置）に、パネル連結部材３が連結可能とした任意の構造を採用できるものである。
【００２５】
前記のケーシング設置工及び背後杭設置工と併せて水路底面整備工を行う。水路底面整備工は、前記の背面穴Ｂの掘削と同時進行で矢板鋼板０１の前面の水路底面に適宜深さの前面穴Ｃを矢板鋼板０１の前面に添って基礎を構築する範囲全長に形成し、当該前面穴Ｃに砕石４を敷設すると共に、矢板鋼板０１の前面に添って足鋼材５若しくは鉄筋を配置する。
【００２６】
基礎パネル（最下方擁壁パネルと基礎構築部を兼ねる）６は、パネル板６１の背面に適宜長さの支持部６２を突設したもので、パネル板６１は、新規に構築される擁壁の表面となるもので、金属板やプラスチック板でも良いが、好ましくはコンクリートパネルを使用する。更にこのパネル板６１には、パネル連結部材３の連結用の連結孔６３を穿設してなる。
【００２７】
パネル設置工（基礎工構築）は、予め上下ケーシング１ａ，１ｂで形成された背面穴Ｂの空間を通して背面支柱杭２にパネル連結部材３を連結しておき、パネル板６１を足鋼材５の上に載置すると共に、パネル連結部材３を連結孔６３に挿通し、固定ナット（表裏配置）３１でパネル板６１を固定する。従って支持部６２は基礎用透孔Ａを通り上下ケーシング１ａ，１ｂで囲繞された空間内に位置することになる。
【００２８】
次に基礎パネル６の背後にコンクリート７を充填打設すると（充填打設工）、上下ケーシング１ａ，１ｂ、及び背面支柱杭２、及びパネル連結部材３、及び支持部６２を含む基礎方パネル６が一体となった基礎Ｙが構築されることになる。
【００２９】
用水路補修は、前記の基礎工構築を終えると、次に擁壁構築を行うもので、擁壁構築は前記の構築基礎Ｙの上に矢板鋼板０１を覆う新規擁壁Ｘを構築するもので、連結部材配置工、擁壁パネル設置工、擁壁パネル背面の充填打設工を行う。
【００３０】
擁壁構築手順を簡単に説明すると、連結部材配置工は、適宜間隔で打ち込まれた背面支柱杭２を立て込んだ位置で、且つ適宜な高さ位置で実施するもので、パネル連結部材３Ａを設ける箇所に開削孔を形成する。開削孔の形成手段は、矢板鋼板０１の所定位置に予めマーキングを表示し、当該箇所の矢板鋼板０１を穿孔して連結用透孔を形成し、前記連結用透孔を通して矢板鋼板０１の背後の土中に崩壊防止用パイプ８を打ち込み、更に当該パイプ８内の土壌を掻き出して除去し、背面支柱杭２の所定の連結部を露出させる開削孔を形成する。
【００３１】
尚開削孔の形成位置は、矢板鋼板０１の凹凸面のいずれでも良いが、できるだけバランスが良く、且つ上下に配置する。特にパネル連結部材３Ａが限定されるものでは無く任意な部材で良いが、少なくとも背面支柱杭２に設けた連結部の構造と対応して背面支柱杭２に連結固定でき、且つ擁壁パネル６Ａを連結可能な構造であれば良い。
【００３２】
擁壁パネル設置工は、新規擁壁Ｘの表面被覆であり新規擁壁Ｘの型枠となる擁壁パネル６Ａを所定の位置に設置するもので、パネル連結部材３Ａに連結固定できる構造であれば良く。例えばパネル連結部材３Ａを螺子棒とし、固定ナット（表裏）３１Ａを採用する場合には、擁壁パネル６Ａに連結孔を穿設しておけばよい。
【００３３】
充填打設工は、構築された基礎Ｙの上に擁壁パネル６Ａを配置した後に、パネル背面に適宜な充填材（例えばセメント系充填材）７Ａを充填打設するものである。前記のパネル設置工や充填打設工は、順次上方に構築しても良く、また適宜な高さ（矢板鋼板０１の腐食範囲）までの構築でも、更には必要に応じて笠木部０４に達する高さまで構築しても良い。
【００３４】
而して充填材７Ａの固化によって、パネル連結部材３Ａで背面支柱杭２と擁壁パネル６Ａが連結され、矢板鋼板０１と背面支柱杭１０と擁壁パネル６Ａと充填材７Ａが一体となり、且つ構築された基礎Ｙとも一体となる新規擁壁Ｘが構築され、腐食した矢板鋼板で構成されていた用水路の補修が実現するものである。
【００３５】
特に構築された基礎Ｙは、背面穴Ｂ内に突出した支持部６２が埋設矢板鋼板０１ａと一体となる打設コンクリート７に確り固められているので、基礎Ｙ上に構築される表面擁壁Ｘの荷重は埋設矢板鋼板０１ａで負担することになり、表面擁壁Ｘの自重による沈下が防止されるものである。また前記第一実施形態において、新規擁壁を構築せずに基礎工構築終了後に、後述する第三実施形態と同様に新規用水路構築の基礎として利用するようにしても良い。
【００３６】
図７乃至９は、前記第一実施形態における別例（第二実施例）を示したもので、擁壁構築に際して背面支柱杭２を採用せずに前面支柱杭２Ａを採用した例である。この第二実施例の基礎工構築は、基礎用透孔Ａの穿設、背面穴Ｂ及び前面穴Ｃの掘削を行い、基礎パネル６Ａの設置、前面支柱杭２Ａの立設、コンクリートの打設の順で行う。尚基礎パネル設置前に、適宜前面穴Ｃに砕石４を敷設すると共に、矢板鋼板０１の前面に添って足鋼材５若しくは鉄筋を配置する水路底面整備工を行う。
【００３７】
基礎パネル（最下方擁壁パネルと基礎構築部材を兼ねる）６ａは、パネル板６１の背面に適宜長さの支持部６２を突設したものであるが、支持部６２の下面に埋設矢板鋼板０１ａとの連結部６４を設け、且つ前面支柱杭２Ａの位置決め部６５を設けたものである。
【００３８】
連結部６４は、パネル板６１を所定の位置（新規擁壁Ｘの表面と一致）に設置した際に、埋設矢板鋼板０１ａの表裏を挟持する下駄形状に形成したものであり、位置決め部６５は、前面支柱杭２Ａの起立位置（上端が腹起し部材０５で支持される位置）に対応して、透孔若しくは切欠凹部形状等で形成してなる。
【００３９】
基礎パネル６ａの設置は、支持部６２を背面穴Ｂ内に差し込むと共に、連結部６４で埋設矢板鋼板０１ａを挟持することで行い、基礎パネル６ａの設置と共に前面支柱杭６Ａの立込みを行う。この前面支柱杭２Ａは、上方端を腹起し部材０５に係止させ、下端部分を位置決め部６５に係止する。
【００４０】
基礎パネル６ａの設置後に背面穴Ｂ及び基礎パネル６ａの背後にコンクリート７Ｂを充填打設すると支持部６２及び連結部６４を含む基礎パネル６ａが一体となった基礎Ｙ１が構築されることになる。
【００４１】
基礎Ｙ１構築後は、前面支柱杭２Ａに胴縁杆２１を差し渡し、胴縁杆２１に擁壁パネル６Ａを張着し、擁壁パネル６Ａの背後にコンクリート打設を行って表面擁壁Ｘを構築する。或いは基礎Ｙ１を利用した新規用水路構築の基礎とするものである。
【００４２】
図１０、１１は本発明の第二実施形態（第三実施例）を示したものである。この第二実施例は、基礎構築部材としてコンクリート製の支持ブロック体９を採用したものである。
【００４３】
支持ブロック体９は、下方開口コの字状に形成したもので、後方脚部９１と前方脚部９２とを備えると共に、上面に下方開口個所と連通する縦孔部９３を設けたものである。
【００４４】
支持ブロック体９を採用した基礎工構築は、第一実施形態と同様に矢板鋼板０１の表面側の用水路底面０２を適宜範囲で掘削して前面穴Ｃを形成し、前記前面穴Ｃに面した矢板鋼板０１に、適宜高さの基礎用透孔Ａを穿設し、更に当該基礎用透孔Ａの箇所から矢板鋼板０１裏面を用水路底面０２よりも深く下方に掘削して背面穴Ｂを形成する（図１０）。
【００４５】
次にこの支持ブロック体９を、前記の基礎用透孔Ａを跨ぎ、且つ後方脚部９１の内側面を埋設矢板鋼板０１ａの裏面に当接するように設置する。支持ブロック体９の設置後に縦孔部９３からコンクリートを流し込んで、埋設矢板鋼板０１ａと支持ブロック体９との隙間をコンクリートで充たし、埋設矢板鋼板０１ａと支持ブロック体９を一体化させる。これによって支持ブロック体９による基礎Ｙ２が構築されることになる。
【００４６】
基礎Ｙ２の構築後に擁壁構築を行うもので、基礎Ｙ２の背後に背面支柱杭２を打ち込み、基礎Ｙ２上に背面支柱杭２と連結した擁壁パネル６Ａを配置し、擁壁パネル６Ａの背面と矢板鋼板０１間にコンクリート７Ｃを打設して新規擁壁Ｘを構築するものである。
【００４７】
図１２，１３は第二実施形態の別例（第四実施例）で基礎構築部材として支持ブロック体９Ａを採用するものであるが、背面支柱杭２に替えて前面支柱杭２Ａを採用する例である。
【００４８】
支持ブロック体９Ａは、前記の支持ブロック体９と同様に後方脚部９１、前方脚部９２、縦孔部９３を備えると共に、前面支柱杭２Ａを装着する装着部９４を設けたものである。この装着部９４は、前面支柱杭２Ａの起立位置に対応して設けるもので、前面支柱杭２Ａを起立保持する構造であれば任意形状とすることができるもので、図示例は縦孔部９３と連続して設けている。
【００４９】
前記の支持ブロック体９Ａを採用した基礎工構築は、第三実施例と同様に、基礎用透孔Ａ、背面穴Ｂ、前面穴Ｃを形成し（図１２）、支持ブロック体９Ａを、基礎用透孔Ａを跨ぎ、且つ後方脚部９１の内側面を埋設矢板鋼板０１ａの裏面に当接するように設置する。支持ブロック体９の設置後に、前面支柱杭２Ａの立込みを行い、縦孔部９３からコンクリートを流し込んで、埋設矢板鋼板０１ａと支持ブロック体９Ａとの隙間をコンクリート７Ｄで充たし、埋設矢板鋼板０１ａと支持ブロック体９Ａと前面支柱杭２Ａを一体化させる。これによって支持ブロック体９Ａによる基礎Ｙ３が構築されることになる。
【００５０】
基礎Ｙ３構築後は、前面支柱杭２Ａに胴縁杆２１を差し渡し、胴縁杆２１に擁壁パネル６Ａを張着し、擁壁パネル６Ａの背後にコンクリート打設を行って表面擁壁Ｘ等の構築を行う。
【００５１】
次に図１４乃至１７は、基礎構築部材として梁材１０を採用した第三実施形態（第五実施例）を示したものである。この第五実施例は、対面する埋設矢板鋼板０１ａに梁材（Ｈ鋼等）１０を架設し、当該梁材１０上にコンクリート製品である用水路部材Ｅを載置構築するもので、水路底面整備工、梁材架設工によって基礎の構築を行い、その後用水路設置工を順次行うものである。
【００５２】
水路底面整備工は、水路底面０２において、少なくとも梁材（Ｈ鋼）１０の高さ以上の溝Ｄを掘削し、掘削溝Ｄと対応する矢板鋼板０１の対向箇所にそれぞれ基礎用透孔Ａを設け、前記透孔Ａの箇所から矢板鋼板０１の裏面を掘削して背面穴Ｂを形成するものである。
【００５３】
梁材架設工は、梁材１０を両端が基礎用透孔Ａから背面穴Ｂに差し入れ、対面する埋設矢板鋼板０１ａ間に差し渡し、埋設矢板鋼板０１ａの表面側に閉塞板（コンクリート型枠板）１１を配置すると共に、背面穴Ｂ内にコンクリート７Ｅを打設し、梁材１０と埋設矢板鋼板０１ａを一体化させて基礎Ｙ４を構築するものである。特に前記の梁材１０には、予め螺合調整可能な調整ボルト１０１を植立し、更に箱形型枠１２を配置しておく。
【００５４】
基礎Ｙ４の構築を終えると、次に用水路設置工を行うもので、用水路にはコンクリート製品である用水路部材Ｅを使用する。初めに前記した梁材１０に植立した調整ボルト１０１に用水路部材Ｅを仮載置して、用水路構築が設計値と一致するように調整ボルト１０１の高さ調整を行う。
【００５５】
次に箱形型枠１２は、偏平箱型下方枠（底板にボルト通し孔を備える）と、枠板で構成された上方枠で構成されており、上方枠の上下位置を調整して箱形型枠１２が用水路部材Ｅの下面と当接ように調整を行った後、箱形型枠１２内にコンクリート７Ｆを打設する。
【００５６】
従ってコンクリート７Ｆの固化によって箱形型枠１２内のコンクリート７Ｆと用水路部材Ｅが一体化し、矢板鋼板水路内に設計値通りの新規な用水路が構築されるものである。
【００５７】
尚梁材１０は、背面穴Ｂに充填したコンクリート７Ｅの固化後に溝Ｄを埋戻し、上面のみを露出させて土中に埋没させることで、腐食の進行を遅らせる事ができる。
【００５８】
図１８は前記第三実施形態の別例（第六実施例）で、基礎構築部材として梁材１０Ａを採用して、埋設矢板鋼板０１ａと直接連結するものである。即ち梁材１０Ａの一端に連結部１０２を設けて、前記連結部１０２で埋設矢板鋼板０１ａと直接連結することで、背面穴Ｂへのコンクリート７Ｅの充填打設を省略できるようにしたものである。
【００５９】
梁材１０Ａに設けた連結部１０２は、埋設矢板鋼板０１ａへの当接板に連結孔を設けたもので、掘削溝Ｄ（前面穴Ｃ）、基礎用透孔Ａ、背面穴Ｂを形成した後、基礎用透孔Ａの近傍の埋設矢板鋼板０１ａの露出部分にボルト孔Ａ１を設け、当該ボルト孔Ａ１を使用して連結ボルト１０３で梁材１０Ａの連結部１０２を埋設矢板鋼板０１ａに直接連結して基礎とするものである。
【００６０】
次に図１９乃至２１に示した第四実施形態について説明する。この実施形態は、矢板鋼板０１を採用している用水路において、新規な用水路を構築するに際して、水路底面０２に水路構築の前提となる格子基礎Ｙ５を構築するものである。
【００６１】
基礎の構築手順は、第一実施形態と同様にケーシングの設置工、水路底面整備工、コンクリート打設工を順次行うものである。
【００６２】
ケーシング設置工は、第一実施形態と同様に上下ケーシング１ａ，１ｂからなる分割ケーシングを採用し、矢板鋼板０１の所定の対向箇所にそれぞれ基礎用透孔Ａを設け、前記透孔Ａの箇所から矢板鋼板０１の裏面を掘削して背面穴Ｂを形成し、背面穴Ｂ内に上下ケーシング１ａ，１ｂを設置する。
【００６３】
水路底面整備工は、前記の背面穴Ｂの掘削と同時進行で矢板鋼板０１の前面の水路底面に適宜深さの前面穴Ｃを矢板鋼板０１の前面に添って基礎を構築する範囲全長に形成し、当該前面穴Ｃに砕石４を敷設すると共に、矢板鋼板０１の前面に添って足鋼材５若しくは鉄筋を配置する。同時に対向する矢板鋼板０１の基礎用透孔Ａの間の水路底面に溝Ｄを掘削し、砕石４を敷設する。
【００６４】
コンクリート打設工は、対向する基礎用透孔Ａを通して両端がケーシング空間に挿入するように梁材１０Ｂを架設する。そして前記梁材１０Ｂを内在させる横断型枠１３と、矢板鋼板０１と平行に配置する縦列型枠１４を設け、前記型枠１３，１４内にコンクリート７Ｇを打設する。
【００６５】
従ってコンクリート７Ｇの固化後には、水路底面０２に格子状の基礎Ｙ５が構築されることになる。この格子基礎Ｙ５の構築後に、適宜なコンクリート製品である用水路部材Ｅを設置し、或いは格子基礎Ｙ５上にブロック板等を使用した新規用水路等を構築するなどして水路補修を実現するものである。
【符号の説明】
【００６６】
１ａ    上方ケーシング
１ｂ    下方ケーシング
２      背面支柱杭
２Ａ    前面支柱杭
２１    胴縁杆
３，３Ａ    パネル連結部材
３１，３１Ａ  固定ナット
４      砕石
５      足鋼材
６，６ａ      基礎パネル（基礎構築部材）
６Ａ    擁壁パネル
６１    パネル板
６２    支持部
６３    連結孔
６４    連結部
６５    位置決め部
７，７Ａ，・・・コンクリート（充填材）
８      崩壊防止用パイプ
９，９Ａ    支持ブロック体（基礎構築部材）
９１    後方脚部
９２    前方脚部
９３    縦孔部
１０，１０Ａ、１０Ｂ    梁材（基礎構築部材）
１０１    調整ボルト
１０２    連結部
１０３    連結ボルト
１１    閉塞板（型枠板）
１２    箱形型枠
１３    横断型枠
１４    縦列型枠
Ａ      基礎用透孔
Ｂ      背面穴
Ｃ      前面穴
Ｄ      溝
Ｅ      用水路構築部材
Ｘ      新規擁壁
Ｙ１、Ｙ２・・・基礎
０１    矢板鋼板
０１ａ  埋設矢板鋼板
０２    地盤（用水路底面）
０３    用水路
０４    笠木部
０５    腹起し部材
０６    切梁部材
【図１】
2018141300.tif 000003
【図２】
2018141300.tif 000004
【図３】
2018141300.tif 000005
【図４】
2018141300.tif 000006
【図５】
2018141300.tif 000007
【図６】
2018141300.tif 000008
【図７】
2018141300.tif 000009
【図８】
2018141300.tif 000010
【図９】
2018141300.tif 000011
【図１０】
2018141300.tif 000012
【図１１】
2018141300.tif 000013
【図１２】
2018141300.tif 000014
【図１３】
2018141300.tif 000015
【図１４】
2018141300.tif 000016
【図１５】
2018141300.tif 000017
【図１６】
2018141300.tif 000018
【図１７】
2018141300.tif 000019
【図１８】
2018141300.tif 000020
【図１９】
2018141300.tif 000021
【図２０】
2018141300.tif 000022
【図２１】
2018141300.tif 000023